Podtech/llm-jp-corpus-v4-ja_patent huggingface dataset:
(57)【要約】【課題】呼吸器を装着する時は本体から繋がるホースを身体と水平の高さで這わせている為、寝返りの際に呼吸器が外れたり、空気が漏れたり、ホースが絡んで邪魔になったりして安心して睡眠出来なかった。  本発明は、呼吸器装着の際のホースの邪魔を解消し、安眠出来る為の呼吸器補助具を提供する。【解決手段】床面より立ち上げた垂直ポールの上部に直交する水平ポールを設け、垂直ポールと水平ポールの接続部に首振り用の可動部を設け、水平ポールにホース受け金具を設ける。  以上の構成よりなる呼吸器補助具。【選択図】図１
2014151179.tif 000002
【特許請求の範囲】
【請求項１】
垂直ポールの上部に直交する水平ポールを設け、垂直ポールと水平ポールの接続部に首振り用の可動部を設け、水平ポールにホース受け金具を設けた呼吸器補助具。
【発明の詳細な説明】
【０００１】  本発明は、呼吸器装着の際のホースの邪魔を解消する為の呼吸器補助具に関するものである。
【背景技術】
【０００２】  従来、呼吸器を装着する時は本体から繋がるホースを身体と水平の高さで這わせて装着していた。
【発明の概要】
【発明が解決しようとする課題】
【０００３】  ホースを身体と水平の高さで這わせている為、顔や体にホースが乗った状態での睡眠になり非常に邪魔であると共に、寝返りの際に呼吸器が外れたり、空気が漏れたり、ホースが絡んでしまったりして安心して睡眠出来なかった。
本発明は、以上の問題点を解決する為になされたものである。
【課題を解決するための手段】
【０００４】  床面より立ち上げた垂直ポールの上部に直交する水平ポールを設け、垂直ポールと水平ポールの接続部に首振り用の可動部を設け、水平ポールにホース受け金具を設ける。
以上の構成よりなる呼吸器補助具。
【発明の効果】
【０００５】  頭上より呼吸器ホースが吊り下がった状態になる為、顔や体にホースが乗らずに済むので邪魔にならない。寝返りの際には、ポールの首振り動作により身体の向きに合わせて移動するのでホースの絡み等がなく、横向き、寝返りなどが簡単にできる様になるので安眠出来る。
【図面の簡単な説明】
【０００６】
【図１】  本発明の斜視図
【発明を実施するための形態】
【０００７】  以下、本発明の実施の形態を説明する。
（イ）垂直ポール（１）の上部に直交する水平ポール（２）を設ける。
（ロ）垂直ポール（１）と水平ポール（２）の接続部に首振り用の可動部（３）を設ける。
（ハ）水平ポール（２）にホース受け金具（４）を設ける。
本発明は以上のような構造である。
本発明を使用する時は、補助具が頭の上になるように仰向けに寝て、呼吸器本体から繋がるホースをホース受け金具（４）に引っ掛けてから呼吸器を装着する。
これによりホースが顔や体に乗るという状態を回避出来る。
睡眠中に寝返り等で横を向いた際、水平ポール（２）が首振り用可動部（３）があることにより向いた方向に動くので、呼吸器が外れたり、ホースが絡まったりする事がなくなり、安眠することが出来る。
【符号の説明】
【０００８】１  垂直ポール、  ２  水平ポール、  ３  首振り用可動部、
４  ホース受け金具
【図１】
2014151179.tif 000003
(57)【要約】      （修正有）【課題】トイレットペーパーを１２個１ケースに収めて保管し、１個ずつ取り出せることが出来、不要になったときに処分しやすい段ボールケースを提供する。【解決手段】軽くて丈夫な段ボールによるケースとし、トイレットペーパーを３列４段に収め、内側の２枚の仕切り板により下段から連続し１個ずつスムーズに取り出す。また、のぞき窓より残量を確認する。【選択図】図１
2014151181.tif 000002
【特許請求の範囲】
【請求項１】
トイレットペーパーを便利に使えることを特徴とした、
「１２ロールストッカー」
このケースは１２個のトイレットペーパーを一括して収納し、３列４段を下段の開口部から１個ずつ順番に取り出せ、中に２枚の仕切り板が付いているのでスムーズにとりやすい、また、残りの確認もマドから容易の出来やすい、フタは「つまみ代」を付け開閉をしやすくした、段ボールなので廃棄は紙・段ボールとして出来るので「エコ」製品である。
【発明の詳細な説明】
【技術分野】
【０００１】  この発明は、トイレットペーパーのロールストッカーを、連続して１個ずつ簡単に取り出せ、１２個のロールを１ケースに収めることの出来る段ボールのストッカーに関するものである。
【背景技術】
【０００２】  従来のロールストッカーは木製・金属製・プラスチック製・アクリル製が多くを占めて、作成していた。
【特許文献】
【０００３】
【特許文献１】  特願２００６−３３４２１８号公報
【発明の概要】
【発明が解決しようとする課題】
【０００４】  これは、次のような問題点があった。
持ち運びがかさばるので不便である。
単に保管するだけ、１２個収納のケースはあまり無い。折りたたみが出来にくい。あまり安く出来ないなどのことがある。
不要になったときに処分が出来にくい。
本発明は、以上のような欠点をなくす為になされたものである。
【課題を解決するための手段】
【０００５】  本発明は、段ボールで作成してあり、軽くて丈夫。
４個ずつ入れて、３箇所の取り出し口があるので、１２個を下段から１個ずつ引き出せる。
衛生的である。折りたたみが出来る。中に２枚の仕切り板が内蔵されている、組立は簡単である。
廃棄は「紙・段ボール」として再生でき、エコ製品である。以上の構成による。
【発明の効果】
【０００６】  トイレットペーパーは通常１袋１２個で販売しているのが多いため１ケースでそれを収納できるので便利である。３列４段で１２個を収納、連続し１個ずつ引き出すことが出来る。
開口部・切欠部を取り出しやすいようにしてあるので、容易に使える。
内側に２枚の仕切り板が内臓されているのでこれを起こせばロールがスムースに降りてくるようになっている。
のぞき窓が有るので残量が分かりやすく確認できる。
裏面には金具のハトメが付いているので吊り下げることも出来る。
段ボールなので、いろいろなバリエーションが考えられる、また、安くて強度があり、折りたたみが出来る。
軽くて丈夫であるため、製品・運送代が安価に出来る。
廃棄は「紙・段ボール」として再生でき、エコ製品である。
【図面の簡単な説明】
【０００７】
【図１】  本発明の斜視図である。
【図２】  正面図
【図３】  裏面図
【図４】  側面図
【図５】  降りたたみ図
【発明を実施するための形態】
【０００８】以下、本発明を実施するための最良の形態について説明をする。
１  つまみ代を箱の端に付けフタの開閉をしやすくした。
２  中のロールの残りが確認しやすいように縦長の窓を３本開けた。
３  ２枚の中仕切りが箱の内側についているのでロールをスムーズで順繰りに取り出せる。
４  取り出し口の開口部を大きくとり、両サイドの「切欠」も付けてロールを取り出しやすくした。
５  下部の四角いロール止めは、取り出し口でロールが落ちてくるので痛みやすいので段ボールを２重に貼り合わせた。
６  底の部分はフタと同じように差込、つまみ代を付け、組み立てやすいようにした。
７  裏側の中央上部には、壁掛けなどしやすいようにハトメを付けた。
８  運搬する為にはかさばらないように、コンパクトに折りたたむことが出来る。
【図１】
2014151181.tif 000003
【図２】
2014151181.tif 000004
【図３】
2014151181.tif 000005
【図４】
2014151181.tif 000006
【図５】
2014151181.tif 000007
【図４】
2014151181.tif 000008
【図５】
2014151181.tif 000009
【手続補正書】
【提出日】平成25年5月15日(2013.5.15)
【手続補正１】
【補正対象書類名】図面
【補正対象項目名】全図
【補正方法】変更
【補正の内容】
【図１】
2014151181.tif 000010
【図２】
2014151181.tif 000011
【図３】
2014151181.tif 000012
【図４】
2014151181.tif 000013
【図５】
2014151181.tif 000014
(57)【要約】      （修正有）【課題】ガラスカレットの乱反射を活かした図形プレートを低コストで提供する。【解決手段】ガラス製あるいは両面接着テープを基剤とし、該基材上に額縁状の堤防を設け、その内側に設けられた一定の幅・高さを有する分離帯により図案化され区切られた空間内に色分けされたガラスカレットを充填し、その後接着剤を注入硬化する。【選択図】なし【特許請求の範囲】
【請求項１】
外周に額縁状堤防を有した基材内側を、一定の幅・高さを有する分離帯により図形化された空間を設け、その枠内にガラスカレットを充填後、接着剤を注入硬化してなることを特徴とするガラスカレットプレート。
【発明の詳細な説明】
【技術分野】
【０００１】  本発明はガラスカレットによるプレートに関するものである。
【背景技術】
【０００２】  従来よりガラスカレットを利用した製品の製造技術については、特開平１−２５３４９９号や特開平１４−２２６２２４号公報に記載のように加熱溶融して製作することが提案されている。【０００３】  しかし、このようにガラスカレットを加熱・溶融させて製造する方法は、ガラスカレットをガラス原料として使うことであり、ガラスカレットの最大の魅力である乱反射を活かすことができない。
又、設備費用や技術的にも一般的でない。
【発明の概要】
【発明が解決しようとする課題】
【０００４】  これに対して特３２８３８２８号では、ガラスカレットを加熱することなく接着剤をまぶしたガラスカレットによる型枠を用いた成型方法が発明されている。【０００５】  しかし本発明の目的とする低コストで提供するガラスカレットの乱反射を活かした図形プレートの製作には、接着剤をまぶしたガラスカレットではプレート上の細やかな図形は描きにくいものがあった。【０００６】  本発明の課題は、ガラスカレットを基材上に図形化する場合、熟練を必要とせず低コストで図形の多様化に対応できることにある。
【課題を解決するための手段】
【０００７】  本発明はガラスカレットプレートの基材上外周にカレットの移動止めの額縁状の堤防や、その内側を分離帯で図形化されたガラスカレットの充填部分を設けたことにより、カレットの位置ずれが無くなり上記課題を解決したものである。
【発明の効果】
【０００８】  本発明はガラスカレットプレートの基材上に堤防や分離帯で作図後、その場所に適したカラーのガラスカレットを充填後接着剤を注入固定することにより複雑な図形でも簡単に製作することができる。
【図面の簡単な説明】
【０００９】
【図１】本発明に係るガラスカレットプレートの透明基材斜視図
【図２】本発明に係るガラスカレット充填接着後カバーガラス取付説明図
【図３】本発明に係るカバーガラス取付斜視図（屋外用）
【図４】本発明に係る図２の断面説明図
【図５】本発明に係る図３の断面説明図
【図６】本発明に係るガラスカレットプレートの両面テープ基材、斜視図
【発明を実施するための形態】
【００１０】  本発明のガラスカレットプレートは図１に示されるように、基材上の堤防や分離帯でガラスカレットの充填作業が行いやすく、堤防や分離帯の形状を変化させることにより多くのパターンを製作することができる
【実施例】
【００１１】  本発明によるガラスカレットプレートは図３に示すように両面をガラス基材にして屋外用でも製作できる。【００１２】  又、図６に示すようにリサイクル回収を容易にするため基材を両面テープにすることができる。
その場合、再剥離可能両面テープが望ましい。
【符号の説明】
【００１３】１  基材
２  堤防
３  分離帯
４  ガラスカレット
５  屋外用カバーガラス
６  両面テープ
【図１】
2014151645.tif 000002
【図２】
2014151645.tif 000003
【図３】
2014151645.tif 000004
【図４】
2014151645.tif 000005
【図５】
2014151645.tif 000006
【図６】
2014151645.tif 000007
(57)【要約】【課題】緊張したロープの末端を係止する装置として、ロープ係止システムの登山ロープ技術であるガルダーヒッチを利用した場合に、ロープの掛け間違いのないようにすることと、前記のガルダーヒッチの構造が崩れることがないように工夫したロープ係止具を考案した。【解決手段】一対の連結具と、この一対の連結具を接続する弾性材製のガイドチューブ７とを備え、前記連結具は、それぞれの連結部分のフック部１と２、フック部又はリング部３と４を一体的に有し、前記、ガイドチューブ７を、前記の一対の連結具の一対の連結具の外周に嵌めることで、ロープの係止方法であるガルダーヒッチを確実にそして容易に構成できるようにしたロープ係止具である。【選択図】    図５
2014151029.tif 000002
【特許請求の範囲】
【請求項１】
一対の連結具と、この一対の連結具を接続する弾性材製のガイドチューブとを備え、前記連結具はそれぞれの、連結部分の左右にフック部又はリング部を一体的に有し、前記ガイドチューブは、前記の一対の連結具の一対の連結部分の外周に嵌められていることを特徴とするロープ係止具である。
【発明の詳細な説明】
【技術分野】
【０００１】
一対の連結具と、この一対の連結具を接続する弾性材製のガイドチューブとを備え、前記連結具はそれぞれの、連結部分の左右にフック部又はリング部を一体的に有し、前記ガイドチューブは、前記の一対の連結具の一対の連結部分の外周に嵌められていることを特徴とするロープ係止具である。
【背景技術】
【０００２】
図６の２つの開閉できる部品がついた金属の輪状の連結具（以下カラビナ（特許文献１）とする）の１０と１１の一端のフック部分にスリング１２を通して固定し、他端のフック部分に図６のようにロープを掛けてロープ８を固定する方法は、登山ロープ技術のガルダーヒッチとして広知されている。
【０００３】
ロープ係止システムであるガルダーヒッチは、図６の１３または図７の１４のようにロープ８とロープ９が重なることで摩擦による制動がかかると同時に、ロープ８に緊張が係ることで、カラビナ１０と１１が締め付けあいロープ９に制動が係りロープ８の緊張が維持されながら固定され、ロープ８に緊張が係っていない状態では、ロープ９は引くことが可能となりロープ８を緊張させることができるシステムである。
【０００４】
特許文献２のようなロープの緊張器や、特許文献３のようなロープ係止金具がある。
【先行技術文献】
【特許文献】
【０００５】
【特許文献１】特開昭５２−１０５０３３号公報
【特許文献２】特開２０１０−２５２８８８号公報
【特許文献３】特開２００５−２１４３８９号公報
【発明の概要】
【発明が解決しようとする課題】
【０００６】
図６のようなロープ係止システムであるガルダーヒッチは、図８のように２つのカラビナが広がると、カラビナ１０とカラビナ１１で挟まれていたロープ９の制動が失われてロープ８の緊張が失われる
【０００７】
特許文献２のロープを張設し固定する緊張器や、特許文献３のようなロープ係止金具では、使用するロープや紐の径が限定される。
【課題を解決するための手段】
【０００８】
一対の連結具と、この一対の連結具を接続する弾性材製のガイドチューブとを備え、前記連結具はそれぞれの、連結部分の左右にフック部又はリング部を一体的に有し、前記ガイドチューブは、前記の２つの連結部分のていることを特徴とするロープ係止具を考案した。
【発明の効果】
【０００９】
図３のようにガイドチューブ７で連結された、連結部分の左右にフック部又はリング部を一体的に有した構造物が左右に開くことで、フック部１にロープを掛けるのが容易になり、ガルダーヒッチの構造によるロープの固定が容易にできるようになった。（固定時には重ね合わせた状態に閉じる）。
【００１０】
左右にフック部又はリング部を一体的に有した２つの構造物の連結部分をガイドチューブ７を嵌めることで、制動時にフック部の１と２の方向と位置が変わらない様にし、図８のようにガルダーヒッチの構造が崩れないようにした。
【００１１】
請求項１のロープ係止具は、特許文献２のロープを張設し固定する緊張器や、特許文献３のようなロープ係止金具よりも、使用するロープの径の許容幅が大きい。
【００１２】
構造がシンプルでコストが低廉である
【図面の簡単な説明】
【００１３】
【図１】請求１項の全体図
【図２】実施例のロープ掛止具の使用方法の手順図１
【図３】実施例のロープ掛止具の使用方法の手順図２
【図４】実施例のロープ掛止具の使用方法の手順図３
【図５】実施例のロープ掛止具の使用方法の手順図４
【図６】背景技術の登山ロープ技術（ガルダーヒッチ）の斜視図
【図７】背景技術の登山ロープ技術（ガルダーヒッチ）の正面図
【図８】背景技術の登山ロープ技術（ガルダーヒッチ）の制動がかからなくなった状態の図
【発明を実施するための形態】
【００１４】
トラックの積荷を固定する際のロープの末端処理の例
【実施例】
【００１５】
図２のように、請求項１のロープ係止具のフック部（又はリング部）３と４にスリング６を利用して荷台のフックと連結して、図２のようにフック部１と２にロープを配置する。
【００１６】
図３のように、請求項１のロープ係止具をガイドチューブ７に中心に左右に開く。
【００１７】
図４のように、末端側のロープ９を、図４のようにフック部１に下から上に掛ける
【００１８】
図５のように、ガイドチューブ７で連結している連結部分の左右にフック部又はリング部を一体的に有した構造物を重ね合わせる。
【００１９】
図５のように、ロープ係止具のフック部１とフック部２を通ったロープで、図６のようにガルダーヒッチが形成され、ロープ９を引くことでロープ８が緊張し、その状態を維持し固定される。
【符号の説明】
【００２０】
１  ロープ係止具のフック
２  ロープ係止具のフック
３  ロープ係止具のフック部又はリング部
４  ロープ係止具のフック部又はリング部
５  ロープ係止具のフック
６  フック部又はリング部３とフック部又はリング部４に掛けて固定するスリング
７  ガイドチューブ
８  ロープの一端側（固定する側のロープ）
９  ロープの他端側（緊張する際に引く側のロープ）
１０  開閉できる部品がついた金属の輪（カラビナ）
１１  開閉できる部品がついた金属の輪（カラビナ）
１２  カラビナ１０とカラビナ１１に掛けて固定するスリング
１３  ロープの一端８がロープの他端を上から押さえることでロープの摩擦で制動がかかる部分
１４  １０と１１の間にロープの他端９が挟まれた部分
【図１】
2014151029.tif 000003
【図２】
2014151029.tif 000004
【図３】
2014151029.tif 000005
【図４】
2014151029.tif 000006
【図５】
2014151029.tif 000007
【図６】
2014151029.tif 000008
【図７】
2014151029.tif 000009
【図８】
2014151029.tif 000010
(57)【要約】【課題】沈殿処理施設において、一部の沈澱池を休止した場合においても濁水の処理量を確保できる濁水の連続処理運用方法。【解決手段】沈殿処理施設の少なくとも一つの沈澱池を休止したときに、他の使用している沈殿池の少なくとも一つの沈澱池に、水流傾斜膜を複数条展張して、濁水の処理量を減少させることなく処理することができる濁水の連続処理運用方法。【選択図】図４
2014151297.tif 000002
【特許請求の範囲】
【請求項１】
複数の沈澱池を同時に使用して濁水を清澄化処理する沈殿処理施設において、少なくとも一つの沈澱池を休止したときに、他の使用している沈殿池の少なくとも一つの沈澱池に、水流傾斜膜を各々隣接する水流傾斜膜との間に間隙を設けて連結した整流膜を複数条展張することを特徴とする、濁水の処理量を減少させることなく処理することができる濁水の連続処理運用方法。
【発明の詳細な説明】
【技術分野】
【０００１】
本発明は、上水道をはじめ工業用水道、産業廃水処理等の沈澱池における濁水の処理を、一部の沈澱池を休止した場合においても、濁水の処理量を保持した状態で濁水の処理を行う連続処理運用方法に関する。
【背景技術】
【０００２】
従来、上水道をはじめ工業用水道、産業廃水処理等の沈澱池における濁水を処理する場合、処理量を確保するため複数の沈澱池を用いて処理する方法が一般的に行われている。すなわち、横流沈澱池を例にとれば、混和池で濁水に凝集剤が添加され、次のフロック形成池において急速撹拌が行われて均一に混合された後沈澱池の緩速撹拌部においてゆっくり撹拌を行ってフロックの生成を行い、さらに沈殿部において、生成したフロックを沈降させて清澄化処理を行い、沈澱池装置外に排出させていた。しかしながら沈殿池を長期間使用していると設備の故障とか沈澱池内の傾斜板などの保守整備等を用うために一時的に一部の沈澱池を停止しなければならなかった。
このような場合は、休止した沈澱池の処理量に見合う量の濁水に減少させなければならなかった。
また他の方法としては、目的とする濁水の処理量より多く処理できる沈殿処理施設を予め造って対応していたが、この場合沈殿処理施設を建設するスペースを必要とする外、莫大な建設費用を要する問題点があった。
【発明の概要】
【発明が解決しようとする課題】
【０００３】
本発明は、沈殿処理施設において、一部の沈澱池を休止させた場合にも、休止前の濁水の処理量と水質を確保する方法について種々研究を重ねた結果、既存の沈殿池のみで処理する方法を見出し、本発明を完成するに至った。
【課題を解決するための手段】
【０００４】
すなわち、本発明は、複数の沈澱池を同時に使用して濁水を清澄化処理する沈殿処理施設において、少なくとも一つの沈澱池を休止したときに、他の使用している沈殿池の少なくとも一つの沈澱池に、水流傾斜膜を各々隣接する水流傾斜膜との間に間隙を設けて連結した整流膜を複数条展張することを特徴とする、濁水の処理量を減少させることなく処理することができる濁水の連続処理運用方法である。
【発明の効果】
【０００５】
本発明によれば、沈殿処理施設の一部の沈澱池を休止させた場合においても、既存の沈澱池のみで休止前の濁水の処理量を確保することは勿論、それ以上の処理量を確保することができる。また従来は、沈澱処理施設を建設する場合にも休止する沈殿池を想定して、目標とする濁水の処理量以上の能力を有するように設計しなければならず、そのため設置面積の拡大と共に、建設費用がかかると云う問題もあったが本発明はその問題も解決することができる。
【図面の簡単な説明】
【０００６】
【図１】本発明の水流傾斜膜の正面図
【図２】図１の水流傾斜膜の側面図
【図３】本発明の整流膜の一例を示した正面図
【図４】整流膜を並列状に展張した状態を示す平面図
【図５】整流膜を千鳥状に展張した状態を示す平面図
【発明を実施するための形態】
【０００７】
次に本発明の濁水の連続処理運用方法について説明する。
まず本発明に使用する整流膜について説明する。
本発明の整流膜は、例えば図1および図２に示すように、ロープ等を通す挿通口１を有するフロート２に水中膜３を垂下させた水流傾斜膜４を図３に示すように、フロート２の挿通口１にロープ５等を通して隣接する水中膜3との間に間隙を設けて連結させたものが使用できる。
また他の水流傾斜膜の態様としては、フロート２を用いずに、直接ロープ等に水中膜３を垂下させたものも好適に使用できる。
【０００８】
沈殿池内に展張する整流膜は、沈澱池内の濁水の流れ方向に対し、水流傾斜膜４の膜面を対向させる状態で設置することが好ましい。
またこの整流膜は、沈澱池内の濁水の流れ方向に対し、多重展張することが必要である。多重展張する場合の整流膜の前後の間隔は、沈澱池の形状及び大きさによって適宜決定することができる。
【０００９】
整流膜の展張方法も図４に示すように沈殿池内にそれぞれ流れ方向に対し並列状にするように展張しても、また図５に示すように千鳥状に展張することもできる。
これらの整流膜を展張した場合、整流膜端部の水流傾斜膜４と沈澱池壁面との間に間隔が生じた場合には該間隔部近傍に阻流板６を設けることが好ましい。
【００１０】
本発明における沈澱池の形状も円形、正方形、長方形のいずれの形状のものでも使用できるが、好ましくは長方形のものが最適である。
【符号の説明】
【００１１】
１．  
挿通口
２．  
フロート
３．  
水中膜
４．  
水流傾斜膜
５．  
ロープ
６．  
阻流板
【図１】
2014151297.tif 000003
【図２】
2014151297.tif 000004
【図３】
2014151297.tif 000005
【図４】
2014151297.tif 000006
【図５】
2014151297.tif 000007
(57)【要約】      （修正有）【課題】自転車を収納する時に取り外した車輪をフレームの最適な収納場所へ容易に誘導してコンパクトな収納を簡単にし、逆に折り畳んである自転車の車輪を左右間違わずに組立て易くする。【解決手段】棒状の材料を複数連結して伸縮または屈折自在にした本体１の上端をフォーク２の右左または片方の適当な位置に固定し、本体１の下端を車輪３のハブ４を固定する部材５に固定するか通す。自転車をコンパクトに収納するときハブ４を固定する部材５を緩めフォーク２から外された車輪３の自由な動きを拘束して、車輪３の適格な収納場所への誘導を容易にした。【選択図】図１
2014151900.tif 000002
【特許請求の範囲】
【請求項１】
棒状の部材を複数連結して伸縮または屈折自在にした本体１の上端を左右または片方のフォーク２に固定し更に本体１の下端を車輪３のハブ４を固定する部材５にそれぞれ通すか固定し、自転車を収納または組立てる時に車輪３がフォーク２から分離された状態で自由な動きをしないように拘束して唯一移動可能な円周上を辿れば最適な収納場所６へ容易に導かれるようにした。
【請求項２】
棒状の部材を複数連結して伸縮または屈折自在にしたフォーク２の片方の下端を車輪３のハブ４を固定する部材５に通すか固定して自転車を収納または組立てる時に部材５を緩めて車輪３をフォーク２の片方から分離されるが自由な動きが束されたまま唯一移動可能な円周上を辿れば最適な収納場所６へ容易に導かれるようにした。
【請求項３】
前記棒状の部材には偏平加工が施されていることを特徴とする請求項１に記載の本体１
【請求項４】
前記棒状の部材は、内部が中空で強度と軽量化が両立されていることを特徴とする請求項１に記載の本体１
【発明の詳細な説明】
【技術分野】
【０００１】  本発明は自転車をコンパクトに収納するときフォークから外した車輪の自由な動きを拘束して車輪を最適な収納場所へ容易に誘導し、また外した自転車の車輪を正確な取り付け場所へ左右間違えることなく容易に誘導して取り付けるためのものである。【０００２】  従来は、自転車をコンパクトに収納するときは車輪を外してフレームに重ねる方法と、折り畳み自転車のようにフレームを幾つかに分割しヒンジで連結した構造にして必要な時にストッパーを緩めて折り畳むのが一般的でした。そして、自転車には多くの凹凸があるので自転車をコンパクトに収納するには凹凸を上手く噛み合わせるのが理想です。しかし、車輪を完全に取り外すと不慣れな者には収納する適当な場所が分かり難いうえに不安定な車輪を自転車のフレームにぶつけて破損しやすかった。また、外した車輪を元に戻す時も車輪の左右を間違えたり、ぶつけたりして破損させる危険性が高いために自転車を組立てるのに時間と手間が掛かり過ぎるのが現状でした。
【先行文献】
【０００３】  実願２０１１−００４８１１
登録第３１７２７７８号
特願２０１２−１５４０４５
受付番号１１２０１４８００８１
【発明の概要】
【発明が解決しようとする課題】
【０００４】  自転車をコンパクトに収納するときは車輪を外してフレームに重ねる方法と、折り畳み自転車のようにフレームを幾つかに分割してヒンジで連結した構造にして必要な時にストッパーを緩めて折り畳むのが一般的でした。また、自転車には多くの凹凸があり自転車を最もコンパクトに収納するには凹凸を上手く噛み合わせるのが理想でた。しかし、車輪を完全に取り外すと不慣れな者には収納する適当な場所が分かり難いうえに不安定な車輪を自転車のフレームにぶつけて破損しやすかった。また、外した車輪を元に戻す時も車輪の左右を間違えたり、ぶつけたりして破損させる危険性が高いために自転車を組立てるのに時間と手間が掛かり過ぎるのが現状でした。
本発明は、この課題を解決するためになされたものである。
【課題を解決するための手段】
【０００５】  棒状の材料を複数連結して伸縮または屈折自在にした本体１の上端をフォーク２の右左または片方の適当な位置に固定し、本体１の下端を車輪３のハブ４を固定する部材５に固定するか通す。
本発明は自転車をコンパクトに収納するときハブ４を固定する部材５を緩めフォーク２から外された車輪３の自由な動きを拘束して、車輪３の最適な収納場所６への誘導を容易にした。
【発明の効果】
【０００６】  本発明は自転車をコンパクトに収納または素早く組立てるとき車輪３を外したり取り付けたりするときのアンバランスな車輪３の自由な動きを拘束してフレーム７との接触による破損を防止し車輪３を最適な収納場所６への誘導を容易にした。
【図面の簡単な説明】
【０００７】
【図１】  本発明の側面図である。
【図２】  本発明の使用状態を示す側面図である。
【発明を実施するための形態】
【０００８】  以下、本発明の実施形態について図面を参照しつつ詳細に説明すれば図１は、棒状の材料を複数連結して伸縮または屈折自在にした本体１の上端をフォーク２の右左または片方の適当な位置にバンド８とボルト９で固定し、更に本体１の下端を車輪３のハブ４を固定する部材５に通すか固定する。
【０００９】  本発明にかかる自転車を収納する時はハブ４を固定する部材５を緩めてフォーク２から車輪３を外す。本体１は車輪３に継ってるので車輪３の自由な動きを拘束しているが伸縮自在のため誘導を始めると適当な長さまで延長して最適な長さを維持しながら円周上にある最適な収納場所６へ車輪３を容易に導く構造である。
【００１０】  なお、本発明における本体１は走行中全く負荷が掛らないので構造を単純かつ軽量化出来るため折り畳み自転車などに応用すれば大幅な製造コストの削減と性能向上が可能になる。折り畳み自転車の場合は本体１の機能をフォーク２に盛り込めれば更なる製造コストの削減と性能向上が可能になる。また、長さを調整可能にすれば汎用性が広がり取付けアダプターの交換だけで色々な車種やサイズの自転車へ応用も可能である。
【符号の説明】
【００１１】  １  本体                            ６  車輪３の適格な収納場所
２  フォーク                        ７  フレーム
３  車輪                            ８  バンド
４  ハブ                            ９  ボルト
５  ハブ４を固定する部材
【図１】
2014151900.tif 000003
【図２】
2014151900.tif 000004
(57)【要約】      （修正有）【課題】自動車が雪道でスリップしたと時に走行や発進が不安定になり、タイヤ側面と側面に接する雪との間でグリップし易いようにタイヤ側面に突起がある雪道用タイヤを提供する。【解決手段】タイヤ底面と雪との接地面に摩擦が低下しスリップ状態になり走行や発進ができなくなっても、タイヤ１側面の数か所の突起２が雪との間で摩擦を生じ、スリップ状態を一時的に解消することができる構造を特徴とする。【選択図】図１
2014151899.tif 000002
【特許請求の範囲】
【請求項１】
タイヤ（１）の側面に数か所の突起（２）を設けた雪道用タイヤ。
【発明の詳細な説明】
【技術分野】
【０００１】  この発明は、雪道走行時または発進時にタイヤ側面の突起と接する雪との間で一時的に摩擦を生じスリップを防止する構造を要する雪道用タイヤである。
【背景技術】
【０００２】  従来はタイヤ底面のみで雪道との摩擦を持つタイヤ構造になっていた。
【発明の開示】
【発明が解決しようとする課題】
【０００３】  これは次のような欠点があった。
雪道とタイヤ底面にすべりが生じると摩擦熱で解けた雪の水がタイヤとの摩擦を低下して自動車の発進や走行が不安定になっていた。
本発明は、以上のような欠点を一時的に解消する為になされた物である。
【課題を解決するための手段】
【０００４】  タイヤ（１）の側面に数か所の突起（２）を設ける。
本発明は、以上の構成により一時的にスリップを解消するものである。
【発明の効果】
【０００５】  タイヤ底面と雪との接地面に摩擦が低下しスリップ状態になり走行や発進ができなくなっても、タイヤ側面の突起が雪との間で摩擦を生じ、スリップ状態を一時的に解消するものである。
【発明を実施するための最良の形態】
【０００６】  以下、本発明を実施するための最良の形態について説明する。
タイヤ（１）の側面に突起（２）を数か所設ける。
本発明は以上のような構造である。
アスファルト走行時は効果が無く、雪道でのスリップ時に一時的に雪との摩擦を生じし易くするものである。
【図面の簡単な説明】
【０００７】
【図１】本発明の外観図である。
【符号の説明】
【０００８】１  タイヤ
２  突起
【図１】
2014151899.tif 000003
(57)【要約】【課題】  答えとなる数値が作業を終えたその間近に示され、余りは個単位で手元にある等、数を即、実体として捉えられる算数計算、算数指導用の、割り算掛け算足し引き算具を提供する。【解決手段】［請求項１］  均一な数え玉と積み重ねる数え玉を支える心棒か囲い壁から成り、支え側の側面に、数え玉の高さ幅の数字記載箇所を高さ方向に連続して複数設け、上方に行くに従って同じ差で変わる数字を記載して数字棒か数字壁としたことを特徴とする。【選択図】図１
2014115602.tif 000002
【特許請求の範囲】
【請求項１】
均一な数え玉と積み重ねる数え玉を支える心棒か囲い壁から成り、支え側の側面に、数え玉の高さ幅の数字記載箇所を高さ方向に連続して複数設け、上方に行くに従って同じ差で変わる数字を記載して数字棒か数字壁としたことを特徴とする、割り算掛け算足し引き算具。
【請求項２】
１０本の数字棒を一定の間隔を持たせて整列立設した台と、整数を記載した数字棒にはめることが可能な中心部が穴状で均一な輪状玉とで成る本体部分と、数字棒に被せられるキャップや目隠しボードを用意し、又は、数字棒の一部を折るか数字棒を抜き取り、使用する数字棒と使用しない数字棒との区別を可能にする仕組みを備えることを特徴とする、請求項１記載の、割り算掛け算足し引き算具。
【発明の詳細な説明】
【技術分野】
【０００１】  本発明は、算数学習、算数指導に用いる教習具に関する。
【背景技術】
【０００２】  数を数えるための個体がある。
数を長さとして捉える考案がある。
【先行技術文献】
【特許文献】
【特許文献】  実登第３００８７１３
【０００３】
【発明の概要】
【発明が解決しようとする課題】
【０００４】  そのために次のような問題点があった。
実登第３００８７１３は、数字とその大きさを捉え易くした考案である。しかし、９÷４の場合、４個のマークの記された直方体を何本か用意しその中から２本を選び縦向きに重ねると少し余るが、この余る長さは、別の１マークの直方体を捜して合わせ、１を確認するやり方であるため、すぐには１を確認しにくい。４×３の場合、４マークの直方体を３個用意し縦向きに重ね、１０個と２個に分けるが、１０になっているかどうかを他の１０マークの直方体を捜して合わせ、１０を確認するという手間を必要とする。
【発明を解決するための手段】
【０００５】  均一な数え玉と積み重ねる数え玉を支える心棒か囲い壁から成り、支え側の側面に、数え玉の高さ幅の数字記載箇所を高さ方向に連続して複数設け、上方に行くに従って同じ差で変わる数字を記載して数字棒か数字壁としたことを特徴とする。
【発明の効果】
【０００６】  答えとなる数値は作業を終えた間近に示されるようになった。
余りは個単位で手元にあり、長さを数に変換する手間がいらなくなった。
【図面の簡単な説明】
【０００７】
【図１】  第一形態のａは正面図、ｂは平面図である。
【図２】  部品の斜視図で、ｃは輪状体、ｄはキャップである。
【図３】  第一形態の使用図で、ｅは正面図、ｆは平面図である。
【図４】  第二形態の使用図で、ｇは正面図、ｈは平面図、ｉは使用する変形輪状体である。
【図５】  変形輪状体の斜視図と、数字棒とそれに伴う輪状体の変形の平面図である。
【図６】  第三形態の斜視図である。
【発明を実施するための形態】
【０００８】  先ず、図１〜図３を用いて、静止体の数字棒の最下段を０とし、そこから連続する整数を上向きに１ずつ増やして記載する第一形態を説明する。
図１ａは５本の数字棒（３）が整列した正面図で、台（１）と最下段（２）と、数字棒と一間隔（４）を示す。ｂは平面図で台上に数字棒が１０本並ぶことを示す。図２は斜視図で、ｃは高さ幅が一間隔と同じ可動体の輪状玉（５）で、数字棒同士の前後左右の間隔は当輪状体の横幅以上となる。これは以下形態も同様である。ｄは数字棒の太さ以上の空洞を持つキャップ（６）である。図３は１５÷３の計算時の図で、ｅのように割る数とする分の３本分を残し、使わない７本の数字棒にキャップを被せて始める。割られる数とした１５個分の輪状体を、割る数とした３本の数字棒に順に通し重ね、３本の数字棒に均等に重ねた時の、最上の輪状体（７）のすぐ上側の数字棒側面に表示された数値の５が答えである。ｆは平面図で、輪状体をはめた３本の数字棒と、キャップを被せた７本の数字棒の計１０本が整列している。
掛け算の場合で３×５では、３個の輪状体を５本の数字棒にそれぞれ通した状態、５×３は５個の輪状体を３本の数字棒にそれぞれ通した状態となり、この意味の違い等について、ビジュアル的に示される。
【０００９】  次に図４、図５を用いて、最下段を１としそこから始まる第二形態を説明する。
第一形態の数字棒（３）の最下段（２）の０を１に変えたもので、最上の輪状玉（７）位置に、答えの数値が現れる仕組みのものである。
図４は３×３又は９÷３の使用図で、ｇの正面図の最上の輪状体の欠け所（９）から、答えの３又はかけられる数の３が見えている。ｈはその時の平面図である。ｉは欠け所を有する輪状玉の斜視図である。
図５のｊは透明の材質で作った透明輪状玉（９）の斜視図、ｋ、ｌ、ｍは数字棒（３）の形状とそれにはめた輪状玉（５）の変形を示す。
【００１０】  足し算、引き算での使い方について付加する。
足し算では、ひと桁では一本の数字棒（３）を使用し、元の数の輪状体（５）を数字棒にはめ、次に加える数の輪状体をはめていけば、最上段の直ぐ上側か最上段位置に答えの数値が示されている。一本では足りない場合は２本目を使用し、１０で繰り上がる仕組みを、この行動からも視覚的にも理解していくことになる。
引き算では先ず引かれる数をはめておき、引く数を外していけば、前記同様の位置に答えが示される。２本を使用する二桁の場合、一の位の数値よりも引く数が大きい場合は、隣の数字棒の１０個から借りるという行為をすることになる。
また、１０の束の意味、１０の束が１０個あれば１００になること、それが１０×１０であること等、この器具の使用で数式の意味が理解出来、数を実体としても捉えられる。
【００１１】  図６を用いて第三形態を説明する。静止体が、透明な壁に数字が記載された数字壁（１０）で、可動体が玉（１１）の場合である。第一、第二形態は芯側に数字が記載され、穴を有する可動体がこの芯を中にして束になっていく仕組みだったのに対し、数字壁に囲まれた中に玉を入れていく形態である。個室（１２）と玉の形状とは対応する。持ち易くする目的で凹みを設けた。生徒側に数字壁面を向けると好都合である。
【符号の説明】
【００１２】  １    台                    ２    最下段          ３    数字棒
４    一間隔                ５    輪状玉          ６    キャップ
７    最上の輪状玉          ８    欠け所          ９    透明輪状玉
１０  数字壁                １１  玉              １２  個室
【図１】
2014115602.tif 000003
【図２】
2014115602.tif 000004
【図３】
2014115602.tif 000005
【図４】
2014115602.tif 000006
【図５】
2014115602.tif 000007
【図６】
2014115602.tif 000008
(57)【要約】      （修正有）【課題】冷蔵庫の中の食料品の分類と保存鮮度の状態を一目で確認できる商品を提供する。【解決手段】冷蔵庫の前面に、食料品や品物を表示できる液晶装置を取りつけて、冷蔵庫の中に入っている食料品の種類と賞味期限を表示する。冷蔵庫の中に何が入っているのか分からなくても、液晶装置の表示を見ることによって各食品の賞味期限を知ることができて、鮮度のある美味しい状態で食べられます。買いだめなどで食料品が多いとき、小型の屋外冷蔵庫を軒下などに設け、その中に収納する。【選択図】図１
2014115067.tif 000002
【特許請求の範囲】
【請求項１】
大型化した現在の冷蔵庫では、中に入っている食料品の鮮度や賞味期限を調べようとすると、その種類と量によって大変に厄介なことになる。
そこで冷蔵庫の前面に図１のような液晶表示装置を取りつけて、中に入っている食料品の鮮度や種類を一目で分かるようにした品物である。
上部の液晶モニターには魚、リンゴ、タマゴなどの項目を縦に並べ、その右側に賞味期限の月日を書き込める欄をもうける。
液晶装置の利用方法としては、賞味期限の表示は下部の操作ボタンによつて記入し、食料品の種類はモードの切り替えボタンによつて画面数を増やしていく。
この液晶表示装置を取りつけることによつて、冷蔵庫の中の食料品の種類や賞味期限を明確にすることができる。
貴重である食料品の、古いものを捨てたりする無駄を少なくすることができる。
【請求項２】
大型化した冷蔵庫でも、夏場の暑い時にはビールやアイスクリームのような冷やすことが必要な食品が増えることになる。
一般家庭の台所にある大型冷蔵庫でも、夏場は収納仕切れないときがある。
図３のような上部が開閉式の屋外型小型冷蔵庫があると、主冷蔵庫で入りきれなくなった物を収納するという補助的な利用方法ができる。
ハンドルはタキゲンなどの鍵付きの屋外ハンドルを取りつけて、盗難防止用のワツパを下部に付ける。
夏場の冷やすものが多くなつたり、来客の多いときの食品の別保存として活用できる。
【発明の詳細な説明】
【技術分野】
【０００１】発明の名称としての実用的な冷蔵庫請求項１は、冷蔵庫の前面に液晶表示装置を取り付けて、中に入れる食料品の種類の表示と賞味期限を表示して鮮度を管理する。
液晶モニターの表示を見ることによって、冷蔵庫の中に入っている食料品の収納期間を知ることができる。
それまで長期間いれっぱなしであった食料品が、モニターの視覚によつて腐らしたり、味覚を落としたりすることがなくなる。
発明の名称としての実用的な冷蔵庫請求項２は、小型の屋外冷蔵庫で、扉を上部に設置してそこから食品を出し入れするようにした物である。
用途としては台所にある大型冷蔵庫に入らなくなった食料品を、別に収納する目的。
食料品の量が増えて、保冷に困ったとき屋外の収納に役に立つ。
【背景技術】
【０００２】従来からの冷蔵庫では中に入っている食料品の保存状態が分からず、数多くの食品が山なりに重なってつい古くしてしまうことがあった。
冷蔵庫の前面に液晶表示装置を取り付けることによって、種類と賞味期限を確認することができてこれらを解消することができる。
食料品のバーゲンセールなどで量が増えたとき、クーラーボツクスなどに入れなければならなかった。
屋外に置ける小型冷蔵庫を使うことによって食品の保存に役に立つ。
公報が分かりませんので、次からの文献は不明。
【先行技術文献】
【特許文献】
【０００３】
【特許文献１】
【特許文献２】
【非特許文献】
【０００４】
【非特許文献】
【非特許文献１】
【発明の概要】
【発明が解決しようとする課題】
【０００５】現在市販されている冷蔵庫では保冷のための樹脂製の外面で覆われているため、中に入っている食料品の鮮度が把握しにくく、古くなると捨てるなどの無駄が生じた。
大型冷蔵庫でも夏場などでは食料品が中に入りきれなくなって、古いものは処分したりクーラーボツクスの中に氷を詰めた容器に移し変えるしかなかった。
【課題を解決するための手段】
【０００６】実用的な冷蔵庫である請求項１では冷蔵庫の中に入っている食料品の鮮度を明瞭にするために、図１の液晶表示装置を扉などの前面に取りつける。
実用的な冷蔵庫である請求項２では食料品の量が多くなった時には、図３に設計している小型の屋外簡易冷蔵庫の中に収納することを目的とする。
【発明の効果】
【０００７】冷蔵庫の前面に取りつけた液晶表示装置を見ることによって、貯蔵してある食料品の種類と賞味期限を確認することができて、腐らしたりせずに美味しいものを頂ける。
食料品の量が多くなった時、屋外に置ける小型冷蔵庫を使うことによって食品の保存状態を良くすると共に、氷などで別の容器に準備する手間が省ける。
食料品の鮮度を落として、古くなった物の処分に困ることがなくなる。
【図面の簡単な説明】
【０００８】
【図１】冷蔵庫の前面に取りつける液晶表示装置を示した図である。
【図２】液晶表示装置を取りつけた冷蔵庫の電気配線図である。
【図３】屋外型小型冷蔵庫の側面図である。
【図４】屋外型小型冷蔵庫の平面図である。
【発明を実施するための形態】
【０００９】図１は冷蔵庫の前面に取りつけた液晶表示装置を見ることによって、食料品の種類と賞味期限を確認して、食品の鮮度を管理することを特徴とする請求項１である。
図３は上部に開閉用の扉を設けた屋外型小型冷蔵庫で、上から食料品を収納できる。
家の軒下など、小さなスペースで利用できることを特徴とする請求項２である。
【実施例】実用的な冷蔵庫請求項１は、食料品の鮮度管理を目的として、冷蔵庫の前面に液晶表示装置を取りつけて品種と賞味期限を分かりやすくする。
液晶モニターは図１の構図で、食料品の種類と賞味期限を表す。
操作ボタンの電源部は入切を、モードの表示はボタンを押すことによってバソコンや携帯などにある次の画面への切り替えスイッチを示す。
月日のボタンはＤＶＤレコーダーの録画予約ボタンのように、任意の時間を書き込めるものと同じ機能を備えた装置。
実用的な冷蔵庫請求項２は屋外型小型冷蔵庫で、上に開閉扉を設けているため地上に置いても楽に食料品を収納できる。
扉は激しい風雨でも冷蔵庫の中に入らないように本体を覆う構造とし、扉と本体のパツキン箇所は山形のものを用いる。
屋外に設置するので、下部に防犯用のワツパを付けて盗難を防ぐようにする。
【産業上の利用可能性】
【００１０】実用的な冷蔵庫請求項１は、食品を扱う業者や一般家庭の冷蔵庫の前面に液晶表示装置を取りつけて、食料品の種類と賞味期限を把握することができる。
実用的な冷蔵庫請求項２の屋外型小型冷蔵庫は、住居の小さな空きスペースがあればそこに置いて使用することが可能。
貴重な食料品の保存効果をあげる趣旨で普及が広がる。
【符号の説明】
【００１１】１  液晶モニター
２  操作ボタン部
３  電源コード
４  取り付けネジ
５  開閉ハンドル
６  山形パツキン
７  外ブタ
８  扉開閉用の蝶板
９  冷蔵庫室内
１０冷蔵電気装置
１１防犯ワツパ
【図１】
2014115067.tif 000003
【図２】
2014115067.tif 000004
【図３】
2014115067.tif 000005
【図４】
2014115067.tif 000006
(57)【要約】【課題】安価でありながら耐熱性に優れた耐熱性簡易光導波路を提供する。【解決手段】石英ガラスからなる複数本のコアと、コアを一括して被覆する耐熱性低屈折率樹脂層と、を備える耐熱性簡易光導波路である。耐熱性低屈折率樹脂層は、フッ素系樹脂からなると良い。フッ素系樹脂は、紫外線硬化型フッ化アクリレート樹脂であると良い。【選択図】図１
2014115327.tif 000002
【特許請求の範囲】
【請求項１】
石英ガラスからなる複数本のコアと、
前記コアを一括して被覆する耐熱性低屈折率樹脂層と、
を備えることを特徴とする耐熱性簡易光導波路。
【請求項２】
前記耐熱性低屈折率樹脂層は、フッ素系樹脂からなる請求項１に記載の耐熱性簡易光導波路。
【請求項３】
前記フッ素系樹脂は、紫外線硬化型フッ化アクリレート樹脂である請求項２に記載の耐熱性簡易光導波路。
【発明の詳細な説明】
【技術分野】
【０００１】
本発明は、耐熱性に優れた耐熱性簡易光導波路に関する。
【背景技術】
【０００２】
近年、伝送容量の増大に伴って複数の光導波路を備えた多芯光導波路の開発が進められている。多芯光導波路としては、反応性イオンエッチング（Reactive Ion Etching；ＲＩＥ）法等により作製されるポリマ光導波路や、複数本の光ファイバ素線を紫外線硬化型ウレタンアクリレート樹脂等からなる一括被覆層で被覆した光ファイバテープ芯線が知られている（例えば、特許文献１から３参照）。
【０００３】
これらの多芯光導波路によれば、複数の光導波路を用いて光通信が行えることから、伝送容量の増大に対応することができる。
【先行技術文献】
【特許文献】
【０００４】
【特許文献１】特開平８−６２４７４号公報
【特許文献２】特開昭５０−１２０８４５号公報
【特許文献３】特開２０１０−２２４４７８号公報
【特許文献４】特開２００２−１９６１５６号公報
【発明の概要】
【発明が解決しようとする課題】
【０００５】
しかしながら、ポリマ光導波路は、作製工程が複雑で手間やコストが掛かり、また光ファイバテープ芯線は、コアの周囲にクラッドを形成した光ファイバ素線を更に一括被覆層で被覆する必要があるので、構造上、どうしても高価になってしまう。
【０００６】
更に、ポリマ光導波路材料や紫外線硬化型ウレタンアクリレート樹脂等は、耐熱温度が６０℃から８０℃程度と低いことから、機器廃熱等によって高温となる環境下に適用することは困難である。
【０００７】
そこで、本発明の目的は、安価でありながら耐熱性に優れた耐熱性簡易光導波路を提供することにある。
【課題を解決するための手段】
【０００８】
この目的を達成するために創案された本発明は、石英ガラスからなる複数本のコアと、前記コアを一括して被覆する耐熱性低屈折率樹脂層と、を備える耐熱性簡易光導波路である。
【０００９】
前記耐熱性低屈折率樹脂層は、フッ素系樹脂からなると良い。
【００１０】
前記フッ素系樹脂は、紫外線硬化型フッ化アクリレート樹脂であると良い。
【発明の効果】
【００１１】
本発明によれば、安価でありながら耐熱性に優れた耐熱性簡易光導波路を提供することができる。
【図面の簡単な説明】
【００１２】
【図１】本発明に係る耐熱性簡易光導波路を示す斜視図である。
【図２】本発明に係る耐熱性簡易光導波路を示す断面図である。
【図３】本発明に係る耐熱性簡易光導波路の製造方法を説明する図である。
【発明を実施するための形態】
【００１３】
以下、本発明の好適な実施の形態を添付図面にしたがって説明する。
【００１４】
図１及び２に示すように、本実施の形態に係る耐熱性簡易光導波路１０は、石英ガラスからなる複数本のコア１１と、コア１１を一括して被覆する耐熱性低屈折率樹脂層１２と、を備えることを特徴とする。
【００１５】
コア１１は、石英ガラスからなるコアプリフォームを所定の外径に線引きして形成される。
【００１６】
ここで、石英ガラスとは、純粋な石英ガラスに限られるものでなく、屈折率を調整するための添加剤等が含有されているものを含む。
【００１７】
耐熱性低屈折率樹脂層１２は、紫外線硬化型フッ化アクリレート樹脂等のフッ素系樹脂からなることが好ましい。
【００１８】
紫外線硬化型フッ化アクリレート樹脂は、紫外線硬化後の屈折率がコア１１を構成する石英ガラスの屈折率に近いことから、紫外線硬化型フッ化アクリレート樹脂を用いて耐熱性低屈折率樹脂層１２を形成することで、コア１１と耐熱性低屈折率樹脂層１２との間で適切な屈折率差を実現することができる。
【００１９】
つまり、本実施の形態に係る耐熱性低屈折率樹脂層１２は、一括被覆層としての役割に加えて、コア１１に光を閉じ込めるクラッドとしての役割を一つの層で果たすものである。
【００２０】
また、紫外線硬化型フッ化アクリレート樹脂は、耐熱温度が３００℃程度であることから、紫外線硬化型フッ化アクリレート樹脂からなる耐熱性低屈折率樹脂層１２によれば、従来のポリマ光導波路材料や紫外線硬化型ウレタンアクリレート樹脂等からなる一括被覆層に比べて耐熱性を著しく向上させることが可能である。
【００２１】
耐熱性低屈折率樹脂層１２は、光通信に必要な伝送特性を満たすために、少なくともコア１１の周囲にコア１１に光を閉じ込めることができる厚さのクラッド１３が形成されるような被覆厚さで被覆される。
【００２２】
この耐熱性簡易光導波路１０は、例えば、図３に示すように、予め作製しておいたコア１１を複数のリール３１から繰り出し、そのコア１１を整列用部材３２に通して所定のピッチで整列させ、コア１１を並列させた状態で紫外線硬化型フッ化アクリレート樹脂３３で満たされたダイス３４に一括して通して紫外線硬化型フッ化アクリレート樹脂３３を塗布した後、紫外線３５を照射して紫外線硬化型フッ化アクリレート樹脂３３を硬化させて製造する。
【００２３】
これまで説明してきた耐熱性簡易光導波路１０は、耐熱性低屈折率樹脂層１２が一括被覆層とクラッド１３の役割を兼ねていることから、構造が非常に簡易で製造も容易であるため安価である。
【００２４】
また、耐熱性低屈折率樹脂層１２が耐熱温度の高い紫外線硬化型フッ化アクリレート樹脂等のフッ素系樹脂からなるため、従来のポリマ光導波路材料や紫外線硬化型ウレタンアクリレート樹脂等からなる一括被覆層に比べて高い耐熱性を得ることができる。
【００２５】
従って、耐熱性簡易光導波路１０は、機器廃熱等によって高温となる環境下に適用することが可能である。
【００２６】
以上の通り、本発明によれば、安価でありながら耐熱性に優れた耐熱性簡易光導波路を提供することができる。
【符号の説明】
【００２７】
１０  耐熱性簡易光導波路
１１  コア
１２  耐熱性低屈折率樹脂層
１３  クラッド
３１  リール
３２  整列用部材
３３  紫外線硬化型フッ化アクリレート樹脂
３４  ダイス
３５  紫外線
【図１】
2014115327.tif 000003
【図２】
2014115327.tif 000004
【図３】
2014115327.tif 000005